(57)【要約】【課題】  デジタルビデオデータ検査装置において、デジタルビデオデータのどの位置から比較開始すればよいかを明確に定めるようにする。【解決手段】  デジタルビデオデータ２から一義に生成される生成コード２１に基づいて、映像が静止画から変化する映像変化点を映像変化点検出部１４で検出して映像変化点検出信号２２を出力し、比較部１３において、映像変化点検出信号２２を受信した時点から生成コード２１と期待値コード２４とを順次比較する。【選択図】  図１
2006128905.tif 000002
【特許請求の範囲】
【請求項１】
入力されたデジタルビデオデータから一義に定まるコードを生成するコード生成部と、
前記コード生成部で生成された生成コードを解析して前記データの表す映像が時間的に変化する映像変化点を検出する映像変化点検出部と、
期待値コードを格納する期待値格納部と、
前記映像変化点を検出した時点から前記生成コードと前記期待値コードとの比較を開始する比較部とを備えたことを特徴とするデジタルビデオデータ検査装置。
【請求項２】
入力されたデジタルビデオデータから一義に定まるコードを生成するコード生成部と、
指定コードを格納する指定コード格納部と、
前記コード生成部で生成された生成コードと前記指定コードとの一致を検出する指定コード検出部と、
期待値コードを格納する期待値格納部と、
前記生成コードと前記指定コードとの一致を検出した時点から前記生成コードと前記期待値コードとの比較を開始する比較部とを備えたことを特徴とするデジタルビデオデータ検査装置。
【請求項３】
請求項１又は２に記載されたデジタルビデオデータ検査装置において、
前記比較部は、比較結果を保持又は外部出力するように構成されていることを特徴とするデジタルビデオデータ検査装置。
【請求項４】
入力されたデジタルビデオデータから一義に定まるコードを生成するコード生成部を有し該生成コードを外部出力する半導体装置と、
前記コード生成部で生成された生成コードを解析して前記データの表す映像が時間的に変化する映像変化点を検出する映像変化点検出部と、期待値コードを格納する期待値格納部と、前記映像変化点を検出した時点から前記生成コードと前記期待値コードとの比較を開始する比較部とを有するデジタルビデオデータ検査装置とを備えたことを特徴とするデジタルビデオデータ検査システム。
【請求項５】
入力されたデジタルビデオデータから一義に定まるコードを生成するコード生成部を有し該生成コードを外部出力する半導体装置と、
指定コードを格納する指定コード格納部と、前記コード生成部が生成した生成コードと前記指定コードの一致を検出する指定コード検出部と、期待値コードを格納する期待値格納部と、前記生成コードと前記指定コードとの一致を検出した時点から前記生成コードと前記期待値コードとの比較を開始する比較部とを有するデジタルビデオデータ検査装置とを備えたことを特徴とするデジタルビデオデータ検査システム。
【請求項６】
請求項１又は２に記載のデジタルビデオデータ検査装置を有することを特徴とする半導体装置。
【請求項７】
請求項６に記載された半導体装置において、
デジタルビデオストリームを発生するストリーム発生部をさらに備えたことを特徴とする半導体装置。
【発明の詳細な説明】
【技術分野】
【０００１】
本発明は、デジタルビデオデータを扱う半導体装置の電気的故障を検出する検査装置に関するものである。
【背景技術】
【０００２】
特許文献１には、従来のデジタルビデオデータ検査装置として、検査対象から出力されるデジタルビデオデータを入力とし、入力されたデジタルビデオデータから一義に生成されるコードと期待値コードとを比較することによって検査対象のデジタルビデオデータの検査を行うようにしたものが開示されている。
【０００３】
図１０は、従来のデジタルビデオデータ検査装置の構成を示すブロック図である。図１０に示すように、１９はストリームデータ２６を出力するストリームデータ発生装置、４はストリームデータ２６を処理してデジタルビデオデータ２を出力する検査対象、１はデジタルビデオデータ２の検査を行うデジタルビデオデータ検査装置である。
【０００４】
前記検査対象４は、ビデオデコーダ１８を備えており、このビデオデコーダ１８により前記ストリームデータ２６の処理が行われる。
【０００５】
前記デジタルビデオデータ検査装置１は、前記デジタルビデオデータ２から一義に定まる生成コード２１を生成するコード生成部１１と、期待値コード２４を格納しておく期待値格納部１２と、前記生成コード２１と前記期待値コード２４とを比較する比較部１３とを備えている。
【０００６】
以下、上述したようなデジタルビデオデータ検査装置を用いたデジタルデータの検査方法について説明する。まず、前記ストリームデータ発生装置１９から出力したストリームデータ２６を前記検査対象４に入力し、ビデオデコーダ１８で処理して検査対象４からデジタルビデオデータ２を出力する。
【０００７】
次に、前記デジタルビデオデータ２をデジタルビデオデータ検査装置１に入力し、コード生成部１１によって生成コード２１を生成して比較部１３に出力する一方、期待値格納部１２に格納されている期待値コード２４を比較部１３に出力する。
【０００８】
そして、前記比較部１３において前記生成コード２１と前記期待値コード２４とを順次比較し、その比較結果３を外部出力する。
【特許文献１】特開２００３−２０９８６０号公報
【発明の開示】
【発明が解決しようとする課題】
【０００９】
しかしながら、デジタルビデオデータから生成される生成コードと期待値コードとの比較を順次行う場合には、デジタルビデオデータ検査装置に入力されるデジタルビデオデータのどの位置から比較開始するかを明確に定める必要があった。
【００１０】
また、高速なデジタルビデオデータを検査対象からデジタルビデオ検査装置まで伝搬させる必要があるため、その伝搬経路の設計が難しくなるという問題があった。
【００１１】
さらに、検査対象に対して外部からビデオストリームを入力する必要があるため、ＬＳＩテスタ等のストリームデータ発生装置が用意されていない検査環境での検査が困難であった。
【００１２】
本発明は、かかる点に鑑みてなされたものであり、その目的とするところは、同じ連続したデジタルビデオデータからは生成コードが一義に決定されることに着目し、デジタルビデオデータのどの位置から比較開始すればよいかを明確に定めるようにすることにある。
【００１３】
また、別の目的は、高速なデジタルビデオデータを検査対象から検査装置まで伝搬させないようにすることにある。
【００１４】
さらに、もう一つ別の目的は、ＬＳＩテスタ等のストリームデータ発生装置の用意されない検査環境での検査を容易にすることにある。
【課題を解決するための手段】
【００１５】
本発明は、前記課題に対して、映像がある静止画から変化する時点又は指定コードが生成される時点を検出する検出部を備えるようにした。
【００１６】
また、高速なデジタルビデオデータを検査対象から検査装置まで伝搬させる必要がないように、コード生成部、又はデジタルビデオデータ検査装置を検査対象内部に含めるようにした。
【００１７】
さらに、ＬＳＩテスタ等のストリームデータ発生装置の用意されない検査環境での検査を容易とするように、検査対象内部にビデオストリーム発生部を含めるようにした。
【００１８】
すなわち、請求項１の発明は、入力されたデジタルビデオデータから一義に定まるコードを生成するコード生成部と、
前記コード生成部で生成された生成コードを解析して前記データの表す映像が時間的に変化する映像変化点を検出する映像変化点検出部と、
期待値コードを格納する期待値格納部と、
前記映像変化点を検出した時点から前記生成コードと前記期待値コードとの比較を開始する比較部とを備えたことを特徴とする。
【００１９】
請求項２の発明は、入力されたデジタルビデオデータから一義に定まるコードを生成するコード生成部と、
指定コードを格納する指定コード格納部と、
前記コード生成部で生成された生成コードと前記指定コードとの一致を検出する指定コード検出部と、
期待値コードを格納する期待値格納部と、
前記生成コードと前記指定コードとの一致を検出した時点から前記生成コードと前記期待値コードとの比較を開始する比較部とを備えたことを特徴とする。
【００２０】
請求項３の発明は、請求項１又は２に記載されたデジタルビデオデータ検査装置において、
前記比較部は、比較結果を保持又は外部出力するように構成されていることを特徴とする。
【００２１】
請求項４の発明は、入力されたデジタルビデオデータから一義に定まるコードを生成するコード生成部を有し該生成コードを外部出力する半導体装置と、
前記コード生成部で生成された生成コードを解析して前記データの表す映像が時間的に変化する映像変化点を検出する映像変化点検出部と、期待値コードを格納する期待値格納部と、前記映像変化点を検出した時点から前記生成コードと前記期待値コードとの比較を開始する比較部とを有するデジタルビデオデータ検査装置とを備えたことを特徴とするデジタルビデオデータ検査システムである。
【００２２】
請求項５の発明は、入力されたデジタルビデオデータから一義に定まるコードを生成するコード生成部を有し該生成コードを外部出力する半導体装置と、
指定コードを格納する指定コード格納部と、前記コード生成部が生成した生成コードと前記指定コードの一致を検出する指定コード検出部と、期待値コードを格納する期待値格納部と、前記生成コードと前記指定コードとの一致を検出した時点から前記生成コードと前記期待値コードとの比較を開始する比較部とを有するデジタルビデオデータ検査装置とを備えたことを特徴とするデジタルビデオデータ検査システムである。
【００２３】
請求項６の発明は、請求項１又は２に記載のデジタルビデオデータ検査装置を有することを特徴とする半導体装置である。
【００２４】
請求項７の発明は、請求項６に記載された半導体装置において、
デジタルビデオストリームを発生するストリーム発生部をさらに備えたことを特徴とする半導体装置である。
【発明の効果】
【００２５】
本発明によれば、映像変化点検出部又は指定コード検出部によって、デジタルビデオデータの比較を開始すべき時点を明確に定めることができる。
【００２６】
また、コード生成部又はデジタルビデオデータ検査装置を検査対象内部に有することにより、高速なデジタルビデオデータを検査対象外部のデジタルビデオデータ検査装置まで伝搬させなくとも検査ができるようになり、デジタルビデオデータ検査装置の開発工数、コストが低減される。
【００２７】
さらに、内部にビデオストリーム発生部を有することにより、外部からビデオストリームを入力する必要がなく、ＬＳＩテスタでの検査が容易となり、テスト工程の簡略化、検査コスト低減が可能となる。
【発明を実施するための最良の形態】
【００２８】
以下、本発明の実施形態について、図面を参照しながら説明する。なお、ここで示す実施形態はあくまでも一例であって、必ずしもこの実施形態に限定されるものではない。
【００２９】
＜実施形態１＞
図１は、本発明の実施形態１に係るデジタルビデオデータ検査装置の構成を示すブロック図である。図１に示すように、１９はストリームデータ２６を出力するストリームデータ発生装置、４はストリームデータ２６を処理してデジタルビデオデータ２を出力する検査対象、１はデジタルビデオデータ２の検査を行うデジタルビデオデータ検査装置である。
【００３０】
前記検査対象４は、ビデオデコーダ１８を備えており、このビデオデコーダ１８により前記ストリームデータ２６の処理が行われる。
【００３１】
前記デジタルビデオデータ検査装置１は、前記デジタルビデオデータ２から一義に定まる生成コード２１を生成するコード生成部１１と、期待値コード２４を格納しておく期待値格納部１２と、前記生成コード２１と前記期待値コード２４とを比較する比較部１３と、前記生成コード２１から映像の変化点を検出する映像変化点検出部１４とを備えている。
【００３２】
次に、図９を用いて映像変化点について説明する。図９は、デジタルビデオデータのビデオフレーム、映像、生成コードの関係を表したものである。ここで、４１〜４６はそれぞれビデオフレームを表しており、ビデオフレーム４１の映像を映像Ａ、その生成コードをコードＡであるとする。
【００３３】
次に、ビデオフレーム４２についてその生成コードを調べると、ビデオフレーム４２の映像は映像Ａであり、生成コードはコードＡであることが判る。このように、ビデオフレーム４１，４２からは同じコードＡが生成されているため、ビデオフレーム４１から４２にかけては映像が変化していないと判定できる。
【００３４】
同様に、ビデオフレーム４３と一つ前のビデオフレーム４２からは同じコードＡが生成されるため、ビデオフレーム４２からビデオフレーム４３にかけても映像が変化していないと判定できる。
【００３５】
次に、ビデオフレーム４４の生成コードについて調べると、ビデオフレーム４４の映像は映像Ｂであり、生成コードはコードＢであることが判る。このように、ビデオフレーム４４と一つ前のビデオフレーム４３とは異なるコードが生成されているため、ビデオフレーム４３からビデオフレーム４４にかけては映像が変化していると判定される。このビデオフレーム４３とビデオフレーム４４との間の境界点を“映像変化点”と呼ぶ。
【００３６】
なお、ここではビデオフレーム単位でコード生成を行う場合について説明しているが、これに限定されず、例えばビデオフィールド単位やビデオライン単位でコード生成を行う場合であっても、ビデオフレーム分の生成コードをまとめることによりビデオフレーム単位での生成コードと考えることができ、同様の映像変化点を検出することが可能である。
【００３７】
次に、上述したようなデジタルビデオデータ検査装置を用いたデジタルデータの検査方法について説明する。まず、前記ストリームデータ発生装置１９から出力したストリームデータ２６を前記検査対象４に入力し、ビデオデコーダ１８で処理してデジタルビデオデータ２を出力する。
【００３８】
そして、前記デジタルビデオデータ２をデジタルビデオデータ検査装置１に入力し、コード生成部１１によって生成コード２１を生成して比較部１３に出力する一方、この生成コード２１を前記映像変化点検出部１４に出力する。
【００３９】
前記映像変化点検出部１４は、デジタルビデオデータ２が静止画であれば、コード生成部１１が繰り返し同じコードを生成するため、生成コード２１が途中から変化した時点が映像変化点であると検出して映像変化点検出信号２２を比較部１３に出力する。
【００４０】
また、比較部１３には、生成コード２１の他にも期待値格納部１２に格納されている期待値コード２４が入力されており、前記映像変化点検出部１４から映像変化点検出信号２２を受信した時点より生成コード２１と期待値コード２４とを順次比較し、良品又は不良品の判別を行い、その比較結果３を出力する。
【００４１】
以上のように、本実施形態１に係るデジタルビデオデータ検査装置によれば、生成コードと期待値コードとの比較を開始すべき時点を明確に定めることができ、デジタルビデオデータの検査開始が容易となる。
【００４２】
なお、コード生成部がコードを生成する間隔がビデオフレーム単位であれば、毎フレーム同じコードを生成するため、前記手順の通りとなるが、フレームより小さい単位でのコード生成であっても、フレーム同士の境目が前記小さい単位同士の境目と一致している場合には、一定サイクルの生成コード同士を比較することにより、上記手順と同様の手法が適用できる。この点は、以下の実施形態２〜５についても同様である。
【００４３】
＜実施形態２＞
図２は、本発明の実施形態２に係るデジタルビデオデータ検査装置の構成を示すブロック図である。上述した実施形態１との違いは、映像変化点検出部１４の代わりに指定コード検出部１６を追加した点であるため、以下、前記実施形態１と同じ部分については同じ符号を付し、相違点についてのみ説明する。
【００４４】
前記デジタルビデオデータ検査装置１は、前記デジタルビデオデータ２から一義に定まる生成コード２１を生成するコード生成部１１と、期待値コード２４を格納しておく期待値格納部１２と、前記生成コード２１と前記期待値コード２４とを比較する比較部１３と、指定コード２３を格納しておく指定コード格納部１５と、指定コード２３と生成コード２１との一致を検出する指定コード検出部１６とを備えている。
【００４５】
次に、上述したようなデジタルビデオデータ検査装置を用いたデジタルデータの検査方法について説明する。まず、前記ストリームデータ発生装置１９から出力したストリームデータ２６を前記検査対象４に入力し、ビデオデコーダ１８で処理してデジタルビデオデータ２を出力する。
【００４６】
そして、前記デジタルビデオデータ２をデジタルビデオデータ検査装置１に入力し、コード生成部１１によって生成コード２１を生成して比較部１３に出力する一方、この生成コード２１を前記指定コード検出部１６に出力する。
【００４７】
前記指定コード検出部１６は、前記指定コード格納部１５から出力された指定コード２３と前記生成コード２１との一致を検出し、前記比較部１３に対して指定コード検出信号２５を出力する。
【００４８】
また、比較部１３には、生成コード２１の他にも期待値格納部１２に格納されている期待値コード２４が入力されており、前記指定コード検出部１６から指定コード検出信号を受信した時点より生成コード２１と期待値コード２４とを順次比較し、良品又は不良品の判別を行い、その比較結果３を出力する。
【００４９】
以上のように、本実施形態２に係るデジタルビデオデータ検査装置によれば、生成コードと期待値コードとの比較を開始すべき時点を明確に定めることができ、デジタルビデオデータの検査開始が容易となる。
【００５０】
＜実施形態３＞
図３は、本発明の実施形態３に係るデジタルビデオデータ検査システムの構成を示すブロック図である。以下、前記実施形態１と同じ部分については同じ符号を付し、相違点についてのみ説明する。
【００５１】
図３に示すように、１９はストリームデータ２６を出力するストリームデータ発生装置、５はストリームデータ２６を処理して生成コード２１を出力する半導体装置、１はデジタルビデオデータ２の検査を行うデジタルビデオデータ検査装置である。
【００５２】
前記半導体装置５は、ストリームデータ発生装置１９から入力されたストリームデータ２６を処理してデジタルビデオデータ２を出力するビデオデコーダ１８と、このデジタルビデオデータ２から一義に定まる生成コード２１を生成するコード生成部１１とを備えている。
【００５３】
前記デジタルビデオデータ検査装置１は、期待値コード２４を格納しておく期待値格納部１２と、前記生成コード２１と前記期待値コード２４とを比較する比較部１３と、前記生成コード２１から映像の変化点を検出する映像変化点検出部１４とを備えている。
【００５４】
次に、上述したようなデジタルビデオデータ検査システムを用いたデジタルデータの検査方法について説明する。まず、前記ストリームデータ発生装置１９から出力したストリームデータ２６を前記半導体装置５に入力し、ビデオデコーダ１８で処理してデジタルビデオデータ２を出力し、コード生成部１１によって生成コード２１を生成して前記デジタルビデオデータ検査装置１に出力する。
【００５５】
前記デジタルビデオデータ検査装置１に入力された生成コード２１は、比較部１３に入力される一方、映像変化点検出部１４に入力される。
【００５６】
前記映像変化点検出部１４は、デジタルビデオデータ２が静止画であれば、コード生成部１１が繰り返し同じコードを生成するため、生成コード２１が途中から変化した時点が映像変化点であると検出して映像変化点検出信号２２を比較部１３に出力する。
【００５７】
また、比較部１３には、生成コード２１の他にも期待値格納部１２に格納されている期待値コード２４が入力されており、前記映像変化点検出部１４から映像変化点検出信号を受信した時点より生成コード２１と期待値コード２４とを順次比較し、良品又は不良品の判別を行い、その比較結果３を出力する。
【００５８】
以上のように、本実施形態３に係るデジタルビデオデータ検査システムによれば、高速なデジタルビデオデータを半導体装置の外部のデジタルビデオデータ検査装置まで伝搬させなくともデジタルビデオデータの検査ができるようになり、デジタルビデオデータ検査装置の開発工数、コストが低減される。
【００５９】
＜実施形態４＞
図４は、本発明の実施形態４に係るデジタルビデオデータ検査システムの構成を示すブロック図である。以下、前記実施形態３と同じ部分については同じ符号を付し、相違点についてのみ説明する。
【００６０】
前記デジタルビデオデータ検査装置１は、期待値コード２４を格納しておく期待値格納部１２と、前記生成コード２１と前記期待値コード２４とを比較する比較部１３と、指定コード２３を格納しておく指定コード格納部１５と、指定コード２３と生成コード２１との一致を検出する指定コード検出部１６とを備えている。
【００６１】
次に、上述したようなデジタルビデオデータ検査システムを用いたデジタルデータの検査方法について説明する。まず、前記ストリームデータ発生装置１９から出力したストリームデータ２６を前記半導体装置５に入力し、ビデオデコーダ１８で処理してデジタルビデオデータ２を出力し、コード生成部１１によって生成コード２１を生成して前記デジタルビデオデータ検査装置１に出力する。
【００６２】
前記デジタルビデオデータ検査装置１に入力された生成コード２１は、比較部１３に入力される一方、指定コード検出部１６にも入力される。
【００６３】
前記指定コード検出部１６は、前記指定コード格納部１５から出力された指定コード２３と前記生成コード２１との一致を検出し、前記比較部１３に対して指定コード検出信号２５を出力する。
【００６４】
また、比較部１３には、生成コード２１の他にも期待値格納部１２に格納されている期待値コード２４が入力されており、前記指定コード検出部１６から指定コード検出信号２５を受信した時点より生成コード２１と期待値コード２４とを順次比較し、良品又は不良品の判別を行い、その比較結果３を出力する。
【００６５】
以上のように、本実施形態４に係るデジタルビデオデータ検査システムによれば、高速なデジタルビデオデータを半導体装置の外部のデジタルビデオデータ検査装置まで伝搬させなくともデジタルビデオデータの検査ができるようになり、デジタルビデオデータ検査装置の開発工数、コストが低減される。
【００６６】
＜実施形態５＞
図５は、本発明の実施形態５に係る半導体装置の構成を示すブロック図である。以下、前記実施形態１と同じ部分については同じ符号を付し、相違点についてのみ説明する。
【００６７】
図５に示すように、１９はストリームデータ２６を出力するストリームデータ発生装置、５はストリームデータ２６を処理してデジタルビデオデータ２を出力するビデオデコーダ１８とデジタルビデオデータ２の検査を行うデジタルビデオデータ検査装置１とを内蔵した半導体装置である。
【００６８】
前記デジタルビデオデータ検査装置１は、前記ビデオデコーダ１８で出力されたデジタルビデオデータ２から一義に定まる生成コード２１を生成するコード生成部１１と、期待値コード２４を格納しておく期待値格納部１２と、前記生成コード２１と前記期待値コード２４とを比較する比較部１３と、前記生成コード２１から映像の変化点を検出する映像変化点検出部１４とを備えている。
【００６９】
次に、上述したような半導体装置を用いたデジタルデータの検査方法について説明する。まず、前記ストリームデータ発生装置１９から出力したストリームデータ２６を前記半導体装置５に入力し、ビデオデコーダ１８で処理してデジタルビデオデータ２を出力する。
【００７０】
そして、前記デジタルビデオデータ２をデジタルビデオデータ検査装置１に入力し、コード生成部１１によって生成コード２１を生成して比較部１３に出力する一方、この生成コード２１を前記映像変化点検出部１４に出力する。
【００７１】
前記映像変化点検出部１４は、デジタルビデオデータ２が静止画であれば、コード生成部１１が繰り返し同じコードを生成するため、生成コード２１が途中から変化した時点が映像変化点であると検出して映像変化点検出信号２２を比較部１３に出力する。
【００７２】
また、比較部１３には、生成コード２１の他にも期待値格納部１２に格納されている期待値コード２４が入力されており、前記映像変化点検出部１４から映像変化点検出信号２２を受信した時点より生成コード２１と期待値コード２４とを順次比較し、良品又は不良品の判別を行い、その比較結果３を出力する。
【００７３】
以上のように、本実施形態５に係る半導体装置によれば、高速なデジタルビデオデータを半導体装置の外部のデジタルビデオデータ検査装置まで伝搬させなくともデジタルビデオデータの検査ができるようになり、デジタルビデオデータ検査装置の開発工数、コストが低減される。
【００７４】
＜実施形態６＞
図６は、本発明の実施形態６に係る半導体装置の構成を示すブロック図である。以下、前記実施形態５と同じ部分については同じ符号を付し、相違点についてのみ説明する。
【００７５】
前記デジタルビデオデータ検査装置１は、期待値コード２４を格納しておく期待値格納部１２と、前記生成コード２１と前記期待値コード２４とを比較する比較部１３と、指定コード２３を格納しておく指定コード格納部１５と、指定コード２３と生成コード２１との一致を検出する指定コード検出部１６とを備えている。
【００７６】
次に、上述したような半導体装置を用いたデジタルデータの検査方法について説明する。まず、前記ストリームデータ発生装置１９から出力したストリームデータ２６を前記半導体装置５に入力し、ビデオデコーダ１８で処理してデジタルビデオデータ２を出力する。
【００７７】
そして、前記でデジタルビデオデータ２をデジタルビデオデータ検査装置１に入力し、コード生成部１１によって生成コード２１を生成して比較部１３に出力する一方、この生成コード２１を前記指定コード検出部１６に出力する。
【００７８】
前記指定コード検出部１６は、前記指定コード格納部１５から出力された指定コード２３と前記生成コード２１との一致を検出し、前記比較部１３に対して指定コード検出信号２５を出力する。
【００７９】
また、比較部１３には、生成コード２１の他にも期待値格納部１２に格納されている期待値コード２４が入力されており、前記指定コード検出部１６から指定コード検出信号２５を受信した時点より生成コード２１と期待値コード２４とを順次比較し、良品又は不良品の判別を行い、その比較結果３を出力する。
【００８０】
以上のように、本実施形態６に係る半導体装置によれば、高速なデジタルビデオデータを半導体装置の外部のデジタルビデオデータ検査装置まで伝搬させなくともデジタルビデオデータの検査ができるようになり、デジタルビデオデータ検査装置の開発工数、コストが低減される。
【００８１】
＜実施形態７＞
図７は、本発明の実施形態７に係る半導体装置の構成を示すブロック図である。図７に示すように、半導体装置５は、ストリームデータ２７を発生させるストリームデータ発生部１７と、図示しないストリームデータ発生装置から出力されたストリームデータ２６と前記ストリームデータ２７とを任意に選択可能なストリームデータセレクタ３１と、このストリームデータセレクタ３１で選択されたストリームデータ２８を処理してデジタルビデオデータ２を出力するビデオデコーダ１８と、デジタルビデオデータ２の検査を行うデジタルビデオデータ検査装置１とを備えている。
【００８２】
前記デジタルビデオデータ検査装置１は、前記デジタルビデオデータ２から一義に定まる生成コード２１を生成するコード生成部１１と、期待値コード２４を格納しておく期待値格納部１２と、前記生成コード２１と前記期待値コード２４とを比較する比較部１３と、前記生成コード２１から映像の変化点を検出する映像変化点検出部１４とを備えている。
【００８３】
次に、上述したような半導体装置を用いたデジタルデータの検査方法について説明する。まず、半導体装置５に内蔵されているストリームデータ発生部１７から出力したストリームデータ２７をストリームデータセレクタ３１に入力する。一方、半導体装置５の外部のストリームデータ発生装置から出力したストリームデータ２６をストリームデータセレクタ３１に入力する。
【００８４】
そして、通常動作時には、前記ストリームデータセレクタ３１はストリームデータ２６を選択し、検査時にはストリームデータ２７を選択する。
【００８５】
次に、前記ストリームデータセレクタ３１で選択されたストリームデータ２８をビデオデコーダ１８で処理し、デジタルビデオデータ２を出力する。
【００８６】
そして、前記デジタルビデオデータ２をデジタルビデオデータ検査装置１に入力し、コード生成部１１によって生成コード２１を生成して比較部１３に出力する一方、この生成コード２１を前記映像変化点検出部１４に出力する。
【００８７】
前記映像変化点検出部１４は、デジタルビデオデータ２が静止画であれば、コード生成部１１が繰り返し同じコードを生成するため、生成コード２１が途中から変化した時点が映像変化点であると検出して映像変化点検出信号２２を比較部１３に出力する。
【００８８】
また、比較部１３には、生成コード２１の他にも期待値格納部１２に格納されている期待値コード２４が入力されており、前記映像変化点検出部１４から映像変化点検出信号２２を受信した時点より生成コード２１と期待値コード２４とを順次比較し、良品又は不良品の判別を行い、その比較結果３を出力する。
【００８９】
以上のように、本実施形態７に係る半導体装置によれば、半導体装置の外部からストリームデータを入力することなくデジタルビデオデータの検査が可能となり、ストリームデータの入力が困難なＬＳＩテスタでのデジタルビデオデータ検査を容易にできる。
【００９０】
＜実施形態８＞
図８は、本発明の実施形態８に係る半導体装置の構成を示すブロック図である。以下、前記実施形態７と同じ部分については同じ符号を付し、相違点についてのみ説明する。
【００９１】
前記デジタルビデオデータ検査装置１は、期待値コード２４を格納しておく期待値格納部１２と、前記生成コード２１と前記期待値コード２４とを比較する比較部１３と、指定コード２３を格納しておく指定コード格納部１５と、指定コード２３と生成コード２１との一致を検出する指定コード検出部１６とを備えている。
【００９２】
次に、上述したような半導体装置を用いたデジタルデータの検査方法について説明する。まず、半導体装置５に内蔵されているストリームデータ発生部１７から出力したストリームデータ２７をストリームデータセレクタ３１に入力する。一方、半導体装置５の外部のストリームデータ発生装置から出力したストリームデータ２６をストリームデータセレクタ３１に入力する。
【００９３】
そして、通常動作時には、前記ストリームデータセレクタ３１はストリームデータ２６を選択し、検査時にはストリームデータ２７を選択する。
【００９４】
次に、前記ストリームデータセレクタ３１で選択されたストリームデータ２８をビデオデコーダ１８で処理し、デジタルビデオデータ２を出力する。
【００９５】
そして、前記デジタルビデオデータ２をデジタルビデオデータ検査装置１に入力し、コード生成部１１によって生成コード２１を生成して比較部１３に出力する一方、この生成コード２１を前記指定コード検出部１６に出力する。
【００９６】
前記指定コード検出部１６は、前記指定コード格納部１５から出力された指定コード２３と前記生成コード２１との一致を検出し、前記比較部１３に対して指定コード検出信号２５を出力する。
【００９７】
また、比較部１３には、生成コード２１の他にも期待値格納部１２に格納されている期待値コード２４が入力されており、前記指定コード検出部１６から指定コード検出信号２５を受信した時点より生成コード２１と期待値コード２４とを順次比較し、良品又は不良品の判別を行い、その比較結果３を出力する。
【００９８】
以上のように、本実施形態８に係る半導体装置によれば、半導体装置の外部からストリームデータを入力することなくデジタルビデオデータの検査が可能となり、ストリームデータの入力が困難なＬＳＩテスタにおけるデジタルビデオデータ検査を容易にできる。
【産業上の利用可能性】
【００９９】
以上説明したように、本発明にかかるデジタルビデオデータ検査装置は、デジタルテレビ用システムＬＳＩやＤＶＤ用システムＬＳＩ等の試作評価、量産検査等に対して有用である。
【図面の簡単な説明】
【０１００】
【図１】本実施形態１に係るデジタルビデオデータ検査装置の構成を示すブロック図である。
【図２】本実施形態２に係るデジタルビデオデータ検査装置の構成を示すブロック図である。
【図３】本実施形態３に係るデジタルビデオデータ検査システムの構成を示すブロック図である。
【図４】本実施形態４に係るデジタルビデオデータ検査システムの構成を示すブロック図である。
【図５】本実施形態５に係る半導体装置の構成を示すブロック図である。
【図６】本実施形態６に係る半導体装置の構成を示すブロック図である。
【図７】本実施形態７に係る半導体装置の構成を示すブロック図である。
【図８】本実施形態８に係る半導体装置の構成を示すブロック図である。
【図９】映像変化点の説明図である。
【図１０】従来技術のデジタルビデオデータ検査装置の構成を示すブロック図である。
【符号の説明】
【０１０１】
１    デジタルビデオデータ検査装置
２    デジタルビデオデータ
３    比較結果
４    検査対象
５    半導体装置
１１    コード生成部
１２    期待値格納部
１３    比較部
１４    映像変化点検出部
１５    指定コード格納部
１６    指定コード検出部
１７    ストリームデータ発生部
１８    ビデオデコーダ
１９    ストリームデータ発生装置
２１    生成コード
２２    映像変化点検出信号
２３    指定コード
２４    期待値コード
２５    指定コード検出信号
２６    ストリームデータ
２７    ストリームデータ
２８    ストリームデータ
３１    ストリームデータセレクタ
【図１】
2006128905.tif 000003
【図２】
2006128905.tif 000004
【図３】
2006128905.tif 000005
【図４】
2006128905.tif 000006
【図５】
2006128905.tif 000007
【図６】
2006128905.tif 000008
【図７】
2006128905.tif 000009
【図８】
2006128905.tif 000010
【図９】
2006128905.tif 000011
【図１０】
2006128905.tif 000012